(57)【要約】      （修正有）【課題】現在のウキの感度を良くすれば、するほどウキが見ずらくなるウキを如何に見えやすく出来るかと言う点。【解決手段】ウキの面積を広くし光を多く反射させて確認し易くし、魚のアタリに敏感に反応し水中花が閉じて抵抗なく沈み込むように、環状に配置された複数の花弁を一体にしてなる反射体３と、複数の花弁のそれぞれに反射体の中心に向けて伸びる状態で取り付けた支え軸２と、支え軸によって反射体の中心部に固定されたパイプ部材４とから成る水中花をウキに取り付ける。【選択図】図２
2011205965.tif 000002
【特許請求の範囲】
【請求項１】
環状に配置された複数の花弁を一体にしてなる反射体と、前記複数の花弁のそれぞれに、前記反射体の中心に向けて伸びる状態で取り付けた支え軸と、当該支え軸によって前記反射体の中心部に固定されたパイプ部材とを備えており、前記反射体は水よりも比重の軽い材料からなる浮力材部分を有するものであり、前記パイプ部材は棒状の軸部材が挿通される貫通孔を備えており,当該貫通孔に挿通された前記軸部材をウキに刺通すことにより当核ウキに固定される水中花。
【発明の詳細な説明】
【技術分野】
【０００１】
本発明は魚釣を行う際に、釣り糸に取り付ける釣用のウキに関して更に詳しくは遊動ウキに付ける識別「水中花」です。
【背景技術】
【０００２】
魚釣では魚のアタリを取ったり、餌のタナを調節したり、あるいはオモリと同様に仕掛けを遠くに投げ飛ばすことなどを目的としてウキが用いられる。このウキとしては、道糸にゴム管などで固定するものと、道糸に沿って所定の範囲内で自由に移動する遊動ウキといわれるものがある。
【０００３】
この遊動ウキAは、例えば図  7、に示したように桐、杉、などの木材または合成樹脂などで、トウガラシ型、棒型などの図  7に形状に作成した環付きウキに道糸を通して移動可能に取り付けられるものであり、遊動ウキAを挟んで道糸の前後に取り付けられたウキ止めとオモリとの間で移動する。この遊動ウキAは、これを夜間に使用する場合には環付きウキの図  7に示すように、前記ウキの先端にビニ−ル管14などを用いて、化学発光体を取り付けて使用することができ、この種の化学発光体は前記ビニ−ル管とセットにして所謂「ケミホタル」と呼ばれ、一般に市販されている。
【０００４】
また、上記のような構造の環付ウキAの他に道糸に沿って自由に移動する、どんぐりウキと様される中通しタイプの円錐ウキBがある、この中通し円錐ウキBは玉子型,玉型、円錐型などに形成したウキの中央に貫通状に設けられた道糸貫通孔を設した円錐ウキBで前記環付き遊動ウキAと同様に道糸に沿って所定の範囲で移動可能に取り付けられるものである。前記した通常のトウガラシ型,棒型、の遊動ウキAの場合、波のあるところではウキが踊って当たりを取りにくいため、そのような場所では、この円錐ウキBが好んで使用される、特に最近ではこの円錐ウキBの愛好者が増加している。
【０００５】
この円錐ウキBの場合い、その構造上ケミホタルなどの化学発光体を取り付けることが出来ない。この円錐ウキBは夜釣りに使用することができない、そこで夜釣りの場合は、前記の環付ウキAに取り替えて使用するか、あるいは電気ウキ、電子ウキ、といった夜釣り用の他のウキに取り替えるしかなかった。これらのウキは必ずしも安価でなく、多くのウキを揃えるには出費が嵩むという問題があった。
【０００６】
ウキの機能はいかに感度が良く、視認性が良いく遠投が出来、風波に左右されず、ウキの抵抗を如何に押えるか問題である。最近の円錐ウキBの釣り方はウキを最低限に水面ぎりぎりに沈めて、ウキの浮力００という円錐ウキを使用するのが適している。いかに感度が良くウキの抵抗をなくし、アタリを取れるかで使用するが、夜明け前の薄明かり又、昼間でも細波にウキが見えなくなるという点と遠投でウキが見えない事が難点で、現在では遊動仕掛けの水中ウキで魚の泳層に仕掛けを流していき、竿先でアタリを取って釣るということが抵抗を最低限に押えての釣り方が好まれているが、ベテランでないと出来ない技である。
円錐ウキBは道糸が貫通孔を通るために抵抗が掛かり糸抜けの悪さと円錐ウキBは貫通孔から水上に道糸が出るので風の抵抗を受ける弱点がある。
【発明の概要】
【発明が解決しようとする課題】
【０００７】
本発明は上記従来の問題点に鑑みてなされたものであり、その目的は、いかに感度が良くウキを大きく確り確認できて円錐ウキBを取り替えなくても夜釣りができるウキになり、ウキを水面ぎりぎりに沈ませても確認しやすいウキを提供する事である。
【課題を解決するための手段】
【０００８】
上記目的を達成するために、円錐ウキBの道糸の通る貫通孔に挿脱自在に取り付けられ、基端部に道糸の装着部を設けた軸部材を円錐ウキBに挿通し該軸部材の先端側へ抜け止め部材を固定する、前記軸部材基端部の装着部にヨリモドシを利用し道糸を通す、軸部材先端にビニ−ル管などを介してケミホタルなどの化学発光体を取り付ける。
【０００９】
本発明の水中花を取り付けるための考案で水中花を大きく見せて視認性が良く、感度が良く波風に左右されない水中花で、遠投でも確認できる水中花に関する発明。
【００１０】
上記目的を達成するには本願発明は、反射フイルム状のフイルムを花弁型にし浮力材を花弁の外周部に比重を掛けて固定し花弁の芯を細長くし花弁の芯軸の一端をパイプ管「傘の要に等しい」に並べて環状に固定する、花弁の芯の切り口が長方形であるために花弁が乱れなく開花する「水の中で咲く花」水中花。
【００１１】
反射フイルムをホログラムレンズのような反射の強い素材にすると水の中でも反射するし、水がレンズの役目をかなえて一層大きく見える。当該の水中花のパイプ管に前記軸部材を通して円錐ウキBに挿通し基端部にヨリモドシを装着して使用する。
【００１２】
円錐ウキBの浮力をオモリで調節して浮力を無くして、当該軸部材を水中花と円錐ウキBに挿通し水中花の花弁に固定した浮力材の浮力で水面下に逆三角円錐に花弁が開くようにして使用する事で、魚のアタリが感度良く取れ水中花が水面下に沈み込みウキが一瞬で消えるので確認がしやすい、円錐ウキBに軸部材を挿し込むことで環付きウキになり道糸が水面下を通るので、波風にウキが左右されず、又、遠投しても花弁が閉じて空気の抵抗がなく遠投ができるし遠くでも水中花が確認しやすい。
【００１３】
ウキと水中花を離して使用するには図９のように道糸13を水中花のパイプ管4に通して、水中花15が水面上に漂い円錐ウキBが水中ウキの役目を果し、潮に引かれて魚の泳層に仕掛けの深さに合わせて流していける、水面上にある水中花15は道糸13を円錐ウキBの動きに合わせて道糸13を送り出し、魚のアタリで道糸13に速度が変わり抵抗が大きくなり、水中花15が一気に沈み込んで水中花15が収縮するので目の前から消える感じでアタリが捕り易い。
【００１４】
夜釣で使用するには水中花15のパイプ管4に軸部材で通して円錐ウキBに挿通してパイプ管の上に出たる抜け止め部材の先端にビニ−ル管などを介してケミホタルなどの化学発光体を取り付ける、ケミホタルの光が花弁に反射してより一層に確認しやすく、魚の食い込みに水中花15が収縮し光が一瞬に消え去るので魚の食い込みが確実に確認できる。
【発明の効果】
【００１５】
本発明は魚釣を行うに対して如何に感度が良いウキで、視認性が良く遠投が出来る水中かの発明で、今までの欠点を解決するために従来のウキの何倍もの大きく見えること、水中花15が水面下である事が波風に左右されずに潮に乗れる。
【００１６】
夜釣りで釣用のケミホタルや電気ウキを忘れても、堤防や岸辺などの外灯の薄明かりや月明かりが有れば、外灯、月明かりの反射でウキが確認できて釣が出来る。
【図面の簡単な説明】
【００１７】
【図１】水中花の収縮側面
【図２】水中かの中開き
【図３】水中花の開き
【図４】水中花の上面部
【図５】円錐ウキBに取り付け図
【図６】円錐ウキBの夜間使用図
【図７】棒型Ａのウキ
【図８】環付き円錐ウキAの使用図
【図９】切り離し使用図
【発明を実施するための形態】
【００１８】
反射フイルム状のフイルムを花弁型にし花弁の芯を伸ばし支え軸にし花弁の外周に浮力材の比重を掛けて固定し、花弁の芯の一端をパイプ管に固定し軸部材でパイプ管を通して円錐ウキに挿通し、水中花を固定可能にする手段とう備え、軸部材の先端にビニ−ル管14などでケミホタル12などの化学発光体を取り付ける、遠投しても花弁が閉じて空気の抵抗を受けず遠投がかなう、円錐ウキの浮力を最低限に押えて水中花が水面下で花開くので波風に左右されない水中花。
【実施例】
【００１９】
本発明の実施例について説明すると、この水中花は魚釣に使用して反応がよく遠投しても、市販のウキの何倍もの確認面積が広く視認性が的確にできる点であり、花弁が逆三角円錐に水面下で開くので波風に強く又、花弁の反射で昼でも夜でも確認がしやすい。環状に配置された複数の花弁を一体にしてなる開閉可能な反射体を、棒状の軸部材8で通して円錐ウキB5に挿通しオモリ9、ウキゴム10を取り付けてサルカン11を付けて道糸を通して使用する、夜釣りでは軸部材18の先端にビニ−ル管14とケミホタル12を固定して使用する。
【符号の説明】
【００２０】
（１）浮力材
（２）支え軸
（３）花弁「反射フイルム」
（４）パイプ管
（５）円錐ウキB
（６）円錐環付きウキA
（７）環付き棒ウキA
（８）軸部材
（９）オモリ
（１０）ウキゴム
（１１）サルカン
（１２）ケミホタル
（１３）道糸
（１４）ビニ−ル管
（１５）水中花図１、図２、図３、図４、
【図１】
2011205965.tif 000003
【図２】
2011205965.tif 000004
【図３】
2011205965.tif 000005
【図４】
2011205965.tif 000006
【図５】
2011205965.tif 000007
【図６】
2011205965.tif 000008
【図７】
2011205965.tif 000009
【図８】
2011205965.tif 000010
【図９】
2011205965.tif 000011